(57)【要約】      （修正有）【課題】ペットにスムーズにフィットでき、衝突回数を減らすスマートペットロケーターを提供する。【解決手段】スマートペットロケーターは、上部ケーシング１００、下部ケーシング２００及びロケーター本体３００を含み、上部ケーシング及び下部ケーシングはマッチして接続され、上部ケーシング及び下部ケーシングの内部は、取り付けキャビティを形成するように囲まれ、ロケーター本体は、取り付けキャビティに取り付けられ、下部ケーシングの底部の左右両側には、ヒンジ座２１０が対称に設置され、各側のヒンジ座に装着部材４００がヒンジされ、装着部材とヒンジ座の接続箇所にねじりバネ５００が設置され、ねじりバネの始端はヒンジ座に係合され、ねじりバネの終端は装着部材に係合され、装着部材を手動で回転させると、ねじりバネが巻き上げられ、手を離すと、ねじりバネの弾力性で装着部材を回転させる。【選択図】図７
0003225044.tif 000002
【実用新案登録請求の範囲】
【請求項１】
スマートペットロケーターであって、上部ケーシング、下部ケーシング及びロケーター本体を含み、前記上部ケーシング及び前記下部ケーシングはマッチして接続され、前記上部ケーシング及び前記下部ケーシングの内部は、取り付けキャビティを形成するように囲まれ、前記ロケーター本体は、前記取り付けキャビティに取り付けられる。前記下部ケーシングの底部の左右両側には、ヒンジ座が対称に設置され、各側の前記ヒンジ座に装着部材がヒンジされ、前記装着部材と前記ヒンジ座の接続箇所にねじりバネが設置され、前記ねじりバネの始端は前記ヒンジ座に係合され、前記ねじりバネの終端は前記装着部材に係合され、前記装着部材を手動で回転させると、前記ねじりバネが巻き上げられ、手を離すと、前記ねじりバネがたるみ、前記ねじりバネの弾力性で前記装着部材を回転させることを特徴とするスマートペットロケーター。
【請求項２】
前記下部ケーシングの底部の前記ヒンジ座の片側には、前記装着部材を収容する装着部材収容溝が内側に凹設され、前記装着部材収容溝は、前記装着部材の形状に適合し、前記装着部材収容溝の内側壁には外側に突出した係止突起が設けられることを特徴とする請求項１に記載のスマートペットロケーター。
【請求項３】
前記装着部材は、カラー、スリーブ及びピンを含み、前記スリーブは、スリーブの両端が当該ヒンジ座の外部に突出するように前記ヒンジ座に回転可能に取り付けられ、前記ねじりバネは前記スリーブの突出した両端に嵌設されるとともに、前記スリーブの突出した両端に前記カラーの両側の耳掛けがそれぞれ嵌設され、前記ねじりバネの一端が前記ヒンジ座に掛止され、他端が前記カラーの耳掛けに掛止され、前記ピンが前記スリーブの両端部に挿着して固定されることにより、前記カラーの両側の耳掛けが前記スリーブに固定されることを特徴とする請求項１に記載のスマートペットロケーター。
【請求項４】
前記ピンの頭部には、挿着ボスが設けられ、前記挿着ボスの端部の直径は、前記ピンの直径よりも大きく、前記ピンの尾部には、前記スリーブの孔よりも大きい直径を有する抜け止めキャップが設けられ、前記ピンは、前記スリーブに挿着され、前記挿着ボスの端部が前記スリーブの内壁に当接され、前記抜け止めキャップが前記カラーの耳掛けに当接されることを特徴とする請求項３に記載のスマートペットロケーター。
【請求項５】
前記スマートペットロケーターは、さらにアンテナを含むことを特徴とする請求項１に記載のスマートペットロケーター。
【請求項６】
前記スマートペットロケーターは、Ｎ個の測位基地局から送信されたｒ１とＲ１、ｒ２とＲ２、…、ｒＮとＲＮを含む情報をそれぞれ受信し、ここで、ｒ１、ｒ２…ｒＮは、測位対象端末から送信された測位基準信号が前記Ｎ個の測位基地局に到達する時刻であり、Ｒ１、Ｒ２…ＲＮは、位置が固定された基準端末から送信された測位基準信号が前記Ｎ個の測位基地局に到達する時刻であり、Ｎは３以上であり、前記スマートペットロケーターは、ｒ１、ｒ２…ｒＮとＲ１、Ｒ２…ＲＮに基づいて前記測位対象端末の座標を算出することを特徴とする請求項１に記載のスマートペットロケーター。
【請求項７】
前記ロケーター本体は、制御基板、二次電池及び無線充電回路を含み、前記無線充電回路は、前記制御基板及び前記二次電池に電気的に接続され、前記制御基板、前記二次電池及び前記無線充電回路は、前記下部ケーシング内に取り付けられ、前記上部ケーシングは、前記下部ケーシングに接合されることで、前記制御基板、前記二次電池及び前記無線充電回路を密封することを特徴とする請求項１乃至６のいずれか１つに記載のスマートペットロケーター。
【請求項８】
前記下部ケーシングには、中央位置にある中央マウント、及び当該中央マウントの周りに配置された制限ポストが設置され、前記無線充電回路内の無線受信コイルは、前記中央マウントの最下層に配置され、前記二次電池は、前記無線受信コイルの上方に配置され、周りの前記制限ポストは、前記二次電池を包囲して当接し、前記制御基板は、前記中央マウントの最上層に配置され、前記制御基板は、前記制限ポストの頂部に載置固定されることで、前記二次電池及び前記無線充電回路を包囲し、前記無線受信コイルは、前記制御基板及び前記二次電池に電気的に接続され、前記無線受信コイルは、外部から伝送された電磁信号を受信し、電気エネルギーに変換して前記二次電池に蓄積するために用いられることを特徴とする請求項７に記載のスマートペットロケーター。
【請求項９】
前記制御基板には、前記二次電池に電気的に接続されるＬＥＤ光源モジュールが設けられ、前記上部ケーシングの最上面には、複数の光透過孔が穿設された導光溝が凹設され、前記導光溝には、前記光透過孔を通じて前記取り付けキャビティ内に突出して前記ＬＥＤ光源モジュールと接触する導光バーが取り付けられ、前記二次電池は、前記ＬＥＤ光源モジュールに電力を供給し、前記ＬＥＤ光源モジュールから放出される光は、前記導光バーに均一に拡散されることを特徴とする請求項７に記載のスマートペットロケーター。
【請求項１０】
前記上部ケーシングと前記下部ケーシングとの間には、前記上部ケーシングの内部側壁に沿って下方に突出するフック、及び前記下部ケーシングの内部側壁に設けられるフック溝を含むスナップ構造によって接続され、前記上部ケーシングのフックは、前記下部ケーシングのフック溝に押し込まれて係合し、前記上部ケーシングと前記下部ケーシングとの接続が完了することを特徴とする請求項１乃至６のいずれか１つに記載のスマートペットロケーター。
【考案の詳細な説明】
【技術分野】
【０００１】
本考案は、ロケーター技術分野に関し、特にスマートペットロケーターに関する。
【背景技術】
【０００２】
生活のペースが加速している今日の社会では、人と人とのコミュニケーションが減少しており、ペット（猫や犬など）は人々の人生の良いパートナーとなって、ますます多くの人々が所有している。より広い活動空間とより良い環境をペットに与えるために、飼い主はペットを頻繁に外出に連れて活動させる必要があるが、ペットは、外で活動している間に、しばしば紛失や違法な盗難の状況が生じ、そのことで飼い主に感情的なトラウマを引き起こし、そのため、さまざまなペットロケーターが研究開発されている。現在市販に出回っているペットロケーターは紐掛け孔を残すことにより、ペットロケーターをペットの首輪に掛けるものである。しかし、そのような紐掛け孔のあるペットロケーターは、ペットの移動中にペットの首輪に揺れ、ペットにスムーズにフィットできなく、衝突が生じやすく、ペットロケーターの内部コンポーネントに損傷を与え、ペットロケーターの性能に影響を与えるという問題がある。
【考案の概要】
【考案が解決しようとする課題】
【０００３】
本考案は、従来技術における紐掛け孔のあるペットロケーターは、ペットの移動中、ペットロケーターがペットの首輪に揺れ、ペットにスムーズにフィットできなく、衝突が生じやすく、ペットロケーターの内部コンポーネントに損傷を与え、ペットロケーターの性能に影響を与えるという技術的問題を解決するスマートペットロケーターを提供することを目的とする。
【課題を解決するための手段】
【０００４】
上記目的を達成するために、本考案の実施例にて提供されるスマートペットロケーターは、上部ケーシング、下部ケーシング及びロケーター本体を含み、前記上部ケーシング及び前記下部ケーシングはマッチして接続され、前記上部ケーシング及び前記下部ケーシングの内部は、取り付けキャビティを形成するように囲まれ、前記ロケーター本体は、前記取り付けキャビティに取り付けられ、前記下部ケーシングの底部の左右両側には、ヒンジ座が対称に設置され、各側の前記ヒンジ座に装着部材がヒンジされ、前記装着部材と前記ヒンジ座の接続箇所にねじりバネが設置され、前記ねじりバネの始端は前記ヒンジ座に係合され、前記ねじりバネの終端は前記装着部材に係合され、前記装着部材を手動で回転させると、前記ねじりバネが巻き上げられ、手を離すと、前記ねじりバネがたるみ、前記ねじりバネの弾力性で前記装着部材を回転させる。
【０００５】
好ましくは、前記下部ケーシングの底部の前記ヒンジ座の片側には、前記装着部材を収容する装着部材収容溝が内側に凹設され、前記装着部材収容溝は、前記装着部材の形状に適合し、前記装着部材収容溝の内側壁には外側に突出した係止突起が設けられる。
【０００６】
好ましくは、前記装着部材は、カラー、スリーブ及びピンを含み、前記スリーブは、スリーブの両端が当該ヒンジ座の外部に突出するように前記ヒンジ座に回転可能に取り付けられ、前記ねじりバネは前記スリーブの突出した両端に嵌設されるとともに、前記スリーブの突出した両端に前記カラーの両側の耳掛けがそれぞれ嵌設され、前記ねじりバネの一端が前記ヒンジ座に掛止され、他端が前記カラーの耳掛けに掛止され、前記ピンが前記スリーブの両端部に挿着して固定されることにより、前記カラーの両側の耳掛けが前記スリーブに固定される。
【０００７】
好ましくは、前記ピンの頭部には、挿着ボスが設けられ、前記挿着ボスの端部の直径は、前記ピンの直径よりも大きく、前記ピンの尾部には、前記スリーブの孔よりも大きい直径を有する抜け止めキャップが設けられ、前記ピンは、前記スリーブに挿着され、前記挿着ボスの端部が前記スリーブの内壁に当接され、前記抜け止めキャップが前記カラーの耳掛けに当接される。
【０００８】
好ましくは、前記スマートペットロケーターは、さらにアンテナを含む。
【０００９】
好ましくは、前記スマートペットロケーターは、Ｎ個の測位基地局から送信されたｒ１とＲ１、ｒ２とＲ２、…、ｒＮとＲＮを含む情報をそれぞれ受信し、ここで、ｒ１、ｒ２…ｒＮは、測位対象端末から送信された測位基準信号が前記Ｎ個の測位基地局に到達する時刻であり、Ｒ１、Ｒ２…ＲＮは、位置が固定された基準端末から送信された測位基準信号が前記Ｎ個の測位基地局に到達する時刻であり、Ｎは３以上であり、前記スマートペットロケーターは、ｒ１、ｒ２…ｒＮとＲ１、Ｒ２…ＲＮに基づいて前記測位対象端末の座標を算出する。
【００１０】
好ましくは、前記ロケーター本体は、制御基板、二次電池及び無線充電回路を含み、前記無線充電回路は、前記制御基板及び前記二次電池に電気的に接続され、前記制御基板、前記二次電池及び前記無線充電回路は、前記下部ケーシング内に取り付けられ、前記上部ケーシングは、前記下部ケーシングに接合されることで、前記制御基板、前記二次電池及び前記無線充電回路を密封する。
【００１１】
好ましくは、前記下部ケーシングには、中央位置にある中央マウント、及び当該中央マウントの周りに配置された制限ポストが設置され、前記無線充電回路内の無線受信コイルは、前記中央マウントの最下層に配置され、前記二次電池は、前記無線受信コイルの上方に配置され、周りの前記制限ポストは、前記二次電池を包囲して当接し、前記制御基板は、前記中央マウントの最上層に配置され、前記制御基板は、前記制限ポストの頂部に載置固定されることで、前記二次電池及び前記無線充電回路を包囲し、前記無線受信コイルは、前記制御基板及び前記二次電池に電気的に接続され、前記無線受信コイルは、外部から伝送された電磁信号を受信し、電気エネルギーに変換して前記二次電池に蓄積するために用いられる。
【００１２】
好ましくは、前記制御基板には、前記二次電池に電気的に接続されるＬＥＤ光源モジュールが設けられ、前記上部ケーシングの最上面には、複数の光透過孔が穿設された導光溝が凹設され、前記導光溝には、前記光透過孔を通じて前記取り付けキャビティ内に突出して前記ＬＥＤ光源モジュールと接触する導光バーが取り付けられ、前記二次電池は、前記ＬＥＤ光源モジュールに電力を供給し、前記ＬＥＤ光源モジュールから放出される光は、前記導光バーに均一に拡散される。
【００１３】
好ましくは、前記上部ケーシングと前記下部ケーシングとの間には、前記上部ケーシングの内部側壁に沿って下方に突出するフック、及び前記下部ケーシングの内部側壁に設けられるフック溝を含むスナップ構造によって接続され、前記上部ケーシングのフックは、前記下部ケーシングのフック溝に押し込まれて係合し、前記上部ケーシングと前記下部ケーシングとの接続が完了する。
【考案の効果】
【００１４】
本考案の実施例にて提供されるスマートペットロケーターの上記１つまたは複数の技術的解決手段は、以下の技術的効果の少なくとも１つを有する。本考案のスマートペットロケーターの取り付けと使用の際に、手動で左右両側のヒンジ座にヒンジされる装着部材を動かすことで、ペット首輪が穿設できるように装着部材とヒンジ座との間にスペースが残され、次にペット首輪を装着部材とヒンジ座の間に順次通過させ、当該スマートペットロケーターのペット首輪における位置を調整し、手を離すと、ねじりバネの弾力性により左右両側の装着部材を駆動してペット首輪をヒンジ座に押し付け、それにより当該スマートペットロケーターをペット首輪に固定し、最後にスマートペットロケーターが固定されたペット首輪をペットに固定すればよい。スマートペットロケーターはペット首輪に密接に接続されるため、当該ペット首輪に揺れることなく、当該スマートペットロケーターをペットにスムーズに取り付けることができ、衝突回数を効果的に減らし、スマートペットロケーターの内部コンポーネントに対する不必要な損傷を回避し、耐用年数を延ばし、スマートペットロケーターが良好な性能を維持することを保証し、それにより、本考案のスマートペットロケーターはユーザにより好まれ、より広い市場の将来性を有する。
【図面の簡単な説明】
【００１５】
本考案の実施例における技術的解決手段をより明確に説明するために、以下に実施例または従来技術の記述において必要な図面を用いて簡単に説明するが、当然ながら、以下に記載する図面は、単に本考案のいくつかの実施例にすぎず、当業者であれば、創造的な労力を要することなく、これらの図面に基づいて他の図面に想到しうる。
【図１】本考案の実施例に係るスマートペットロケーターの立体図である。
【図２】図１のＡにおける拡大概略図である。
【図３】本考案の実施例に係るスマートペットロケーターの底面図である。
【図４】本考案の実施例に係るスマートペットロケーターの第１の分解概略図である。
【図５】本考案の実施例に係るスマートペットロケーターの断面図である。
【図６】図５のＢにおける拡大概略図である。
【図７】本考案の実施例に係るスマートペットロケーターの第２の分解概略図である。
【図８】本考案の実施例に係る上部ケーシングの構造概略図である。
【図９】本考案の実施例に係る上部ケーシングの底面図である。
【図１０】本考案の実施例に係る下部ケーシングの構造概略図である。
【図１１】本考案の実施例に係る制御基板の構造概略図である。
【図１２】本考案の実施例に係るピンの構造概略図である。
【考案を実施するための形態】
【００１６】
本考案の実施例について、以下に詳細に記載し、記載した実施例は、添付図面に示され、全体を通して同一または類似の参照番号は、同一または類似の要素、または同一または類似の機能を有する要素を指す。以下に添付図面を参照して説明する実施例は、例示的なものであり、本考案の実施例を説明するためのものであり、本考案を限定するものと解釈されるものではない。
【００１７】
本考案の１つの実施例では、図１〜７に示すように、スマートペットロケーターは、上部ケーシング１００、下部ケーシング２００及びロケーター本体３００を含み、前記上部ケーシング１００及び前記下部ケーシング２００はマッチして接続され、前記上部ケーシング１００及び前記下部ケーシング２００の内部は、取り付けキャビティを形成するように囲まれ、前記ロケーター本体３００は、前記取り付けキャビティに取り付けられ、前記下部ケーシング２００の底部の左右両側には、ヒンジ座２１０が対称に設置され、各側の前記ヒンジ座２１０に装着部材４００がヒンジされ、前記装着部材４００と前記ヒンジ座２１０の接続箇所にねじりバネ５００が設置され、前記ねじりバネ５００の始端は前記ヒンジ座２１０に係合され、前記ねじりバネ５００の終端は前記装着部材４００に係合され、前記装着部材４００を手動で回転させると、前記ねじりバネ５００が巻き上げられ、手を離すと、前記ねじりバネ５００がたるみ、前記ねじりバネ５００の弾力性で前記装着部材４００が回転する。
【００１８】
以下、本考案の実施例にて提供されるスマートペットロケーターについて詳細に説明する。本考案のスマートペットロケーターは着脱しやすくて、接続が強固であり、具体的には、取り付けと使用の際に、手動で左右両側の前記ヒンジ座２１０にヒンジされる前記装着部材４００を動かすことで、前記装着部材４００を前記ヒンジ座２１０の周りに回転させ、前記装着部材４００と前記ヒンジ座２１０との間にペット首輪が通るようなスペースが空けられ、この際に前記ねじりバネ５００が巻き上げられる。次にペット首輪を前記装着部材４００と前記ヒンジ座２１０の間に順次通過させ、当該スマートペットロケーターのペット首輪における位置を調整し、手を離すと、前記ねじりバネ５００がたるみ、前記ねじりバネ５００の弾力性により前記装着部材４００を前記ヒンジ座２１０の周りに回転させ、左右両側の前記装着部材４００によりペット首輪を前記ヒンジ座２１０に押し付け、それにより当該スマートペットロケーターをペット首輪に固定し、最後に、スマートペットロケーターが固定されたペット首輪をペットに固定すればよい。分解やメンテナンスの際に、スマートペットロケーターが固定されたペット首輪をペット本体から取り外し、左右両側の前記ヒンジ座２１０にヒンジされた前記装着部材４００を手で動かすことで、前記装着部材４００を前記ヒンジ座２１０の周りに回転させることで、前記装着部材４００と前記ヒンジ座２１０との間にペット首輪を取り出すための空間が確保され、次にペット首輪を引き出すことで、スマートペットロケーターを個別に取り外すことができる。
【００１９】
また、本考案のスマートペットロケーターはペットに装着された後、ペットの運動中、前記ねじりバネ５００が左右両側の前記装着部材４００を駆動してペット首輪を前記ヒンジ座２１０に押し付け、当該スマートペットロケーターはペット首輪にしっかりと結合されるため、当該スマートペットロケーターがペットにぴったりと合せ、ペット首輪に揺れることなく、衝突回数を効果的に減らし、スマートペットロケーターの内部コンポーネントに対する不必要な損傷を回避し、耐用年数を延ばし、スマートペットロケーターが良好な性能を維持することを保証し、それにより、本考案のスマートペットロケーターはユーザにより好まれ、より広い市場の将来性を有する。
【００２０】
本考案の他の実施例では、図３に示すように、前記下部ケーシング２００の底部の前記ヒンジ座２１０の片側には、前記装着部材４００を収容する装着部材収容溝２２０が内側に凹設され、前記装着部材収容溝２２０は、前記装着部材４００の形状に適合し、前記装着部材収容溝２２０の内側壁には外側に突出した係止突起２２１が設けられる。具体的には、当該スマートペットロケーターの取り外しやメンテナンスの際に、前記ねじりバネ５００の弾力性により前記装着部材４００を前記ヒンジ座２１０の周りに回転させるように駆動し、前記装着部材４００は、前記装着部材収容溝２２０内に部分的に嵌設され、前記装着部材４００を押し付けることで、前記装着部材収容溝２２０内に完全に嵌設され、前記装着部材収容溝２２０の内側壁における前記係止突起２２１は前記装着部材４００に密着して当接する。従って、前記装着部材４００は、スマートペットロケーターが使用されない状態で前記装着部材収容溝２２０に強固に収容されることができ、前記上部ケーシング１００、前記下部ケーシング２００及び前記装着部材４００は、一体的に形成され、構造がコンパクトで、空間を占有せず、日常の保管及び輸送に利便性を提供する。
【００２１】
好ましくは、前記装着部材収容溝２２０の左右両端は前記下部ケーシング２００の側壁を貫通して出し入れ位置２２２を形成し、当該出し入れ位置２２２を通じて使用者は手または他の道具で前記装着部材収容溝２２０に入れて前記装着部材収容溝２２０における前記装着部材４００を取り出して装着作業を行うことができ、構造的に合理的であり、操作しやすく、実用性に優れる。
【００２２】
本考案の他の実施例では、図１と図７に示すように、前記装着部材４００は、カラー４１０、スリーブ４２０及びピン４３０を含み、前記スリーブ４２０は、スリーブ４２０の両端が当該ヒンジ座２１０の外部に突出するように前記ヒンジ座２１０に回転可能に取り付けられ、前記ねじりバネ５００は前記スリーブ４２０の突出した両端に嵌設されるとともに、前記スリーブ４２０の突出した両端に前記スリーブ４２０の両側の耳掛け４１１がそれぞれ嵌設され、前記ねじりバネ５００の一端が前記ヒンジ座２１０に掛止され、他端が前記カラー４１０の耳掛け４１１に掛止され、前記ピン４３０が前記スリーブ４２０の両端部に挿着して固定されることにより、前記カラー４１０の両側の耳掛け４１１が前記スリーブ４２０に固定される。具体的には、当該装着部材４００の装着過程は簡単かつ迅速であり、前記スリーブ４２０を回転して前記ヒンジ座２１０に取り付けてスリーブ４２０の両端が当該ヒンジ座２１０から突出するよう確保し、次に２つの前記ねじりバネ５００を前記スリーブ４２０の突出した両端にそれぞれ嵌設するとともに、前記ねじりバネ５００の始端が前記ヒンジ座２１０に係止するよう確保し、次に前記カラー４１０の両側の耳掛け４１１を前記スリーブ４２０の突出した両端に取り付けるとともに、前記ねじりバネ５００の終端が前記耳掛け４１１に係止するよう確保し、最後に２つの前記ピン４３０を前記スリーブ４２０の両端部にそれぞれ挿入して固定することで、前記カラー４１０の両側の耳掛け４１１を前記スリーブ４２０に固定して前記装着部材４００の取り付けを完了させる。
【００２３】
本考案の他の実施例では、図１２に示すように、前記ピン４３０の頭部には、挿着ボス４３１が設けられ、前記ピン４３０の尾部に抜け止めキャップ４３２が設けられる。前記ピン４３０の頭部に前記挿着ボス４３１が設けられ、前記挿着ボス４３１の末端の直径は前記ピン４３０の直径よりも大きいので、前記ピン４３０を前記スリーブ４２０の端部に挿入すると、前記挿着ボス４３１の末端が前記スリーブ４２０の内壁に強固に当接され、前記ピン４３０と前記スリーブ４２０との間の密着な結合が確保される。それとともに、前記ピン４３０の尾部に前記抜け止めキャップ４３２が設けられ、前記抜け止めキャップ４３２の直径が前記スリーブ４２０の直径よりも大きいので、前記ピン４３０が前記スリーブ４２０の端部に固定されると、前記抜け止めキャップ４３２が前記カラー４１０の耳掛け４１１に密着に当接することで、前記耳掛け４１１が前記スリーブ４２０に固定され、前記カラー４１０の耳掛け４１１が前記スリーブ４２０から外れることを効果的に回避し、接続がより安定する。
【００２４】
本考案の他の実施例では、前記スマートペットロケーターは、さらにアンテナを含み、当該アンテナは、衛星信号を受信するためのＧＰＳ金属アンテナであり、当該ＧＰＳ金属アンテナによりペットのリアルタイムな位置を効果的にモニタリングし、盗難防止可能で、位置追跡可能で、人々が探しやすくようにする。また、前記アンテナの構造、回路及びその実現方式は、一般的であり、当業者に知られている通常の技術に属する。
【００２５】
本考案の他の実施例では、前記スマートペットロケーターは、Ｎ個の測位基地局から送信されたｒ１とＲ１、ｒ２とＲ２、…、ｒＮとＲＮを含む情報をそれぞれ受信し、ここで、ｒ１、ｒ２…ｒＮは、測位対象端末から送信された測位基準信号が前記Ｎ個の測位基地局に到達する時刻であり、Ｒ１、Ｒ２…ＲＮは、位置が固定された基準端末から送信された測位基準信号が前記Ｎ個の測位基地局に到達する時刻であり、Ｎは３以上であり、前記スマートペットロケーターは、ｒ１、ｒ２…ｒＮとＲ１、Ｒ２…ＲＮに基づいて前記測位対象端末の座標を算出する。
【００２６】
本考案の他の実施例では、図５と図７に示すように、前記ロケーター本体３００は、制御基板６００、二次電池７００及び無線充電回路８００を含み、前記無線充電回路８００は、前記制御基板６００及び前記二次電池７００に電気的に接続され、前記制御基板６００、前記二次電池７００及び前記無線充電回路８００は、前記下部ケーシング２００内に取り付けられ、前記上部ケーシング１００は、前記下部ケーシング２００に接合されることで、前記制御基板６００、前記二次電池７００及び前記無線充電回路８００を密封する。
【００２７】
さらに、図１０に示すように、前記下部ケーシング２００には、中央位置にある中央マウント２３０、及び当該中央マウント２３０の周りに配置された制限ポスト２４０が設置される。前記無線充電回路８００内の無線受信コイル８１０は、前記中央マウント２３０の最下層に配置され、当該中央マウント２３０の最下層の左右両側には、コイルストッパ２３１が上方に突出して形成され、前記中央マウント２３０の最下層と左右両側の前記コイルストッパ２３１で囲まれた空間に前記無線受信コイル８１０が貼り付けられる。前記二次電池７００は、前記無線受信コイル８１０の上方に設置されて前記中央マウント２３０の中層に位置し、当該中央マウント２３０の中層の左右両側が上方に突出して電池搭載部２３２が形成され、前記電池搭載部２３２の高さは前記コイルストッパ２３１よりも高く、前記二次電池７００は、左右両側の前記電池搭載部２３２に搭載されるとともに、周りの前記制限ポスト２４０が前記二次電池７００を囲んで挟持固定される。前記制御基板６００は、前記中央マウント２３０の最上層に設置され、隣接する２本の前記制限ポスト２４０に基板制限ピン２４１と基板固定孔２４２がそれぞれ設置され、前記制御基板６００が前記制限ポスト２４０の頂部に搭載され、前記基板制限ピン２４１は、前記制御基板６００に挿設されて当該制御基板６００を制限して移動を防止する一方、複数の締結ネジで前記基板固定孔２４２と係合して前記制御基板６００を前記制限ポスト２４０の頂部に固定することで、前記二次電池７００及び前記無線充電回路８００を密閉する。従って、前記制御基板６００、前記二次電池７００及び前記無線充電回路８００は、前記下部ケーシング２００に安定的に固定され、ペットの運動中であっても揺れが発生せず、内部コンポーネントとケーシングとの間の接続が不十分で当該スマートペットロケーターに安全上の問題を与えることを回避し、安定性が高い。
【００２８】
さらに、前記無線受信コイル８１０は、前記制御基板６００及び前記二次電池７００に電気的に接続され、前記無線受信コイル８１０は、外部から伝送された電磁信号を受信し、電気エネルギーに変換して前記二次電池７００に蓄積するために用いられる。
【００２９】
また、本考案の確実性を向上させるため、本考案は、無線充電の方式以外、さらに以下の充電方式を備え、本考案の他の実施例では、図１０と図１１に示すように、前記制御基板６００上に接触式充電回路９００が設けられ、前記下部ケーシング２００の片側に充電ピン取り付けブラケット２５０が設けられ、前記充電ピン取り付けブラケット２５０に、前記下部ケーシング２００を貫通する複数の充電ピン取り付け孔２５１が設けられ、前記接触式充電回路９００内の充電ピン９１０は、前記充電ピン取り付け孔２５１内に位置合わせされて配置され、前記充電ピン９１０は、前記制御基板６００及び前記二次電池７００に電気的に接続され、前記充電ピン９１０は、外部から供給される電力を伝送して前記二次電池７００を充電するために用いられる。
【００３０】
本考案の他の実施例では、前記制御基板６００にブルートゥースモジュール、運動監視モジュール、及びバイタルサイン監視モジュールが設けられる。ここで、前記ブルートゥースモジュールは、近距離無線通信のためのブルートゥース（登録商標）機能を統合したＰＣＢＡボードであり、機能別にブルートゥースデータモジュールとブルートゥースサウンドモジュールに分けられる。ブルートゥースモジュールは、ブルートゥース機能を統合したチップ基本回路の集合であり、無線ネットワーク通信のためのものであり、大きく３種類に分けられる。データ伝送モジュールや遠隔制御モジュールなど一般的なモジュールは半製品の属性を有し、チップの上に加工を行い、続きのアプリケーションを簡単にする。前記運動監視モジュールは、非電気量（例えば速度、圧力）の変化を電気量の変化に変換する運動センサであり、変換された非電気量の違いにより圧力センサ、速度センサ、温度センサ等に分けられ、計測、制御機器及び機器の部品、付属品である。前記バイタルサイン監視モジュールは、体温センサ、呼吸センサ、脈拍センサの３つの生命徴候センサによってペットのバイタルサインの変化を遠隔監視できるバイタルサイン遠隔監視装置である。前記ブルートゥースモジュール、前記運動監視モジュール、及び前記バイタルサイン監視モジュールの構造、回路、及びそれらの実現方式は、ペットロケーターの技術分野において一般的に見られるので、当業者に知られる従来技術に属し、本願では説明を省略する。
【００３１】
さらに、図８と図１１に示すように、前記制御基板６００には、前記二次電池７００と電気的に接続されるＬＥＤ光源モジュール６１０が設けられ、前記上部ケーシング１００の最上面には、複数の光透過孔１１１が穿設された導光溝１１０が凹設され、前記導光溝１１０には、前記光透過孔１１１を通じて前記取り付けキャビティ内に突出して前記ＬＥＤ光源モジュール６１０と接触する導光バー１２０（図７参照）が取り付けられる。使用時に、前記二次電池７００は、前記ＬＥＤ光源モジュール６１０に電力を供給し、前記ＬＥＤ光源モジュール６１０から放出される光は、前記導光バー１２０に均一に拡散されることで、前記導光バー１２０に前記ＬＥＤ光源モジュール６１０の色彩を呈させ、夜間に一層目立たせ、夜間にペットを牽引した時に目を覚めるライトの注意を出してペットの紛失を防止することができる。
【００３２】
さらに、図９と図１１に示すように、前記制御基板６００にはＦＰＣタッチボタン６２０が接続され、前記上部ケーシング１００の内壁には前記ＦＰＣタッチボタン６２０が取り付けられるボタンマウント１５０が設けられ、前記ＦＰＣタッチボタン６２０の頂部は前記ボタンマウント１５０に固定され、前記ＦＰＣタッチボタン６２０の底部は前記制御基板６００に電気的に接続され、前記ＦＰＣタッチボタン６２０を動作でタッチすることで、前記制御基板６００がスマートペットロケーターのオン／オフまたは他のモードの転換をトリガし、操作しやすく、製品のユーザ体験を向上させる。
【００３３】
好ましくは、図８と図１１に示すように、前記制御基板６００にさらに表示灯が取り付けられ、前記表示灯に導光ポスト６３０が固定され、前記上部ケーシング１００には前記導光ポスト６３０が取り付けられる信号提示ビット１６０が貫設され、前記導光ポスト６３０の頂部が前記信号提示ビット１６０に挿入され、前記導光ポスト６３０の底部が前記表示灯に嵌設され、前記表示灯から発せられる光が前記導光ポスト６３０に均等に拡散されて前記信号提示ビット１６０に表示され、前記表示灯は、スマートペットロケーターが操作された時に前記導光ポスト６３０を介して前記信号提示ビット１６０に点滅して提示する。
【００３４】
本考案の他の実施例では、図８と図１０に示すように、前記上部ケーシング１００と前記下部ケーシング２００との間には、前記上部ケーシング１００の内部側壁に沿って下方に突出するフック１３０、及び前記下部ケーシング２００の内部側壁に設けられるフック溝２６０を含むスナップ構造によって接続され、前記上部ケーシング１００のフック１３０は、前記下部ケーシング２００のフック溝２６０に押し込まれて係合に形成され、前記上部ケーシング１００と前記下部ケーシング２００との接続が完了する。具体的には、前記上部ケーシング１００と前記下部ケーシング２００は、前記フック１３０と前記フック溝２６０のスナップ構造によって接続され、振動または不注意な引っ張りによって前記上部ケーシング１００と前記下部ケーシング２００が分離することを防止し、スマートペットロケーターの使用上の安全性を確保する。また、スナップ構造の接続により前記上部ケーシング１００と前記下部ケーシング２００との間の装着時間が短く、装着しやすく、割れやはずしがない。
【００３５】
前記上部ケーシング１００と前記下部ケーシング２００との間の接続をより強固にさせるため、本考案の他の実施例では、図６に示すように、前記上部ケーシング１００の側壁には、上部ケーシング凸部１４０が下方に突出して設けられ、前記下部ケーシング２００の側壁には、前記上部ケーシング凸部１４０に嵌合する下部ケーシング凹部２７０が凹設され、前記下部ケーシング凹部２７０には、超音波溶着線２７１が設けられ、前記上部ケーシング１００と前記下部ケーシング２００との間にはスナップ構造で接続された後、前記上部ケーシング凸部１４０と前記下部ケーシング凹部２７０の超音波溶着線２７１が当接し、前記上部ケーシング凸部１４０と前記下部ケーシング凹部２７０が超音波溶着により固定される。具体的には、前記上部ケーシング１００の前記上部ケーシング凸部１４０と前記下部ケーシング２００の前記下部ケーシング凹部２７０とは、前記上部ケーシング１００と前記下部ケーシング２００との接続をより強固にするために、超音波溶接によって一体化されるとともに、前記上部ケーシング１００と前記下部ケーシング２００は超音波溶接で固定され、液体、塵埃などの異物が前記上部ケーシング１００と前記下部ケーシング２００の接続箇所からスマートペットロケーターの内部に侵入することを効果的に防止し、当該スマートペットロケーターの密封効果と防水効果を向上させ、当該スマートペットロケーターは、異なる屋外環境で使用可能で、使用範囲も広い。
【００３６】
上記の説明は、本考案の好ましい実施例に過ぎず、本考案を限定するものではなく、本考案の精神と原理内で行われるあらゆる修正、同等の置換及び改良などは、いずれも本考案の保護範囲内に含まれるべきである。
【符号の説明】
【００３７】
１００  上部ケーシング
１１０  導光溝
１１１  光透過孔
１２０  導光バー
１３０  フック
１４０  上部ケーシング凸部
１５０  ボタンマウント
１６０  信号提示ビット
２００  下部ケーシング
２１０  ヒンジ座
２２０  装着部材収容溝
２２１  係止突起
２２２  出し入れ位置
２３０  中央マウント
２３１  コイルストッパ
２３２  電池搭載部
２４０  制限ポスト
２４１  基板制限ピン
２４２  基板固定孔
２５０  充電ピン取り付けブラケット
２５１  充電ピン取り付け孔
２６０  フック溝
２７０  下部ケーシング凹部
２７１  超音波溶着線
３００  ロケーター本体
４００  装着部材
４１０  カラー
４１１  耳掛け
４２０  スリーブ
４３０  ピン
４３１  挿着ボス
４３２  抜け止めキャップ
５００  ねじりバネ
６００  制御基板
６１０  ＬＥＤ光源モジュール
６２０  ＦＰＣタッチボタン
６３０  導光ポスト
７００  二次電池
８００  無線充電回路
８１０  無線受信コイル
９００  接触式充電回路
９１０  充電ピン
【図１】
0003225044.tif 000003
【図２】
0003225044.tif 000004
【図３】
0003225044.tif 000005
【図４】
0003225044.tif 000006
【図５】
0003225044.tif 000007
【図６】
0003225044.tif 000008
【図７】
0003225044.tif 000009
【図８】
0003225044.tif 000010
【図９】
0003225044.tif 000011
【図１０】
0003225044.tif 000012
【図１１】
0003225044.tif 000013
【図１２】
0003225044.tif 000014
【手続補正書】
【提出日】令和1年11月28日(2019.11.28)
【手続補正１】
【補正対象書類名】実用新案登録請求の範囲
【補正対象項目名】請求項１
【補正方法】変更
【補正の内容】
【請求項１】
スマートペットロケーターであって、上部ケーシング、下部ケーシング及びロケーター本体を含み、前記上部ケーシング及び前記下部ケーシングはマッチして接続され、前記上部ケーシング及び前記下部ケーシングの内部は、取り付けキャビティを形成するように囲まれ、前記ロケーター本体は、前記取り付けキャビティに取り付けられ、前記下部ケーシングの底部の左右両側には、ヒンジ座が対称に設置され、各側の前記ヒンジ座に装着部材がヒンジされ、前記装着部材と前記ヒンジ座の接続箇所にねじりバネが設置され、前記ねじりバネの始端は前記ヒンジ座に係合され、前記ねじりバネの終端は前記装着部材に係合され、前記装着部材を手動で回転させると、前記ねじりバネが巻き上げられ、手を離すと、前記ねじりバネがたるみ、前記ねじりバネの弾力性で前記装着部材を回転させることを特徴とするスマートペットロケーター。